(57)【要約】【課題】  デジタル放送信号（放送ＴＳ）の回線品質を高速でかつ連続的に監視することができ、劣化し始めを確実に検知できるようにする。【解決手段】  送信所または中継所において、ＲＥＭＵＸ装置１１から出力される源信となる放送ＴＳを、送信機１２にてＲＳ符号による誤り訂正のための符号化処理を経て送出し、受信機１６で受信してＲＳ符号による誤り訂正なしの状態で取り出し、監視部１３において、源信の放送ＴＳと受信ＴＳとを入力し、源信の放送ＴＳを遅延調整して受信ＴＳと比較し、その比較結果から回線品質を判定する。源信のＴＳ信号の送受信によって等価的にＣ／Ｎ付加され、ＲＳ符号による誤り訂正なしの状態で取り出されたＴＳ信号を、遅延調整された源信のＴＳ信号との比較対象とすることで、比較的短時間で高速な比較判定を行い、品質劣化の比較検出点を複数点設けて、劣化し始めを確実に検知する。【選択図】      図１
2008219145.tif 000002
【特許請求の範囲】
【請求項１】
地上デジタル放送システムに用いられ、送信所または中継所にて送信するデジタル放送信号の回線品質を監視するシステムであって、
源信となる前記デジタル放送信号がリードソロモン符号による誤り訂正のための符号化処理を経て送出されるとき、前記デジタル放送信号を受信して前記リードソロモン符号による誤り訂正なしの状態で取り出す受信手段と、
前記源信のデジタル放送信号と前記受信手段で取り出されるデジタル放送信号とを入力し、前記源信のデジタル放送信号を遅延調整して前記受信デジタル放送信号と比較し、その比較結果から回線品質を判定する監視手段と
を具備することを特徴とするデジタル放送信号の回線品質監視システム。
【請求項２】
前記監視手段は、前記比較による品質劣化判定レベルを複数点設けることを特徴とする請求項１記載のデジタル放送信号の回線品質監視システム。
【請求項３】
地上デジタル放送システムに用いられ、送信所または中継所にて送信するデジタル放送信号の回線品質を監視する方法であって、
源信となる前記デジタル放送信号がリードソロモン符号による誤り訂正のための符号化処理を経て送出されるとき、前記デジタル放送信号を受信して前記リードソロモン符号による誤り訂正なしの状態で取り出し、
前記源信のデジタル放送信号を遅延調整して、前記受信されたデジタル放送信号と比較し、その比較結果から回線品質を判定することを特徴とするデジタル放送信号の回線品質監視方法。
【請求項４】
前記比較による品質劣化判定レベルを複数点設けることを特徴とする請求項３記載のデジタル放送信号の回線品質監視方法。
【請求項５】
地上デジタル放送システムの送信所または中継所にて送信するデジタル放送信号の回線品質を監視する回線品質監視装置であって、
源信となる前記デジタル放送信号を入力して遅延調整する遅延調整手段と、
前記源信のデジタル放送信号がリードソロモン符号による誤り訂正のための符号化処理を経て送出され、当該送出信号を受信して前記リードソロモン符号による誤り訂正なしの状態で取り出されるデジタル放送信号を入力し、前記源信のデジタル放送信号と比較する比較手段と、
前記比較手段の比較結果から回線品質を判定する監視手段と
を具備することを特徴とするデジタル放送信号の回線品質監視装置。
【請求項６】
前記監視手段は、前記比較による品質劣化判定レベルを複数点設けることを特徴とする請求項５記載のデジタル放送信号の回線品質監視装置。
【発明の詳細な説明】
【技術分野】
【０００１】
本発明は、地上デジタル放送システムの送信所または中継所にて、デジタル放送信号の回線品質を監視する回線品質監視システムとその監視方法と回線品質監視装置に関する。
【背景技術】
【０００２】
近年、急速に普及されつつある地上デジタル放送では、送信所または中継所においては、Ｃ／Ｎ（Carrier to Noise Radio：搬送波電力対ノイズ比）が劣化すると考えられ、そのための受信信号の回線品質を監視するため、誤り訂正前の信号出力のＣ／Ｎ測定、ＭＥＲ（Modulation Error Rate：変調エラー率）測定及び復号後のＢＥＲ（Bit Error Rate）測定を行うようにしている。
【０００３】
しかながら、Ｃ／Ｎ測定は、デジタル放送信号の内容比較ではなくレベル比較であるため、測定結果の精度に問題がある。また、ＭＥＲ測定は大量の信号を蓄積して演算する必要があるため時間がかかるという問題がある。また、ＢＥＲ測定は、誤り訂正後ゆえ信号劣化の点が急峻であり、品質劣化のリニアリティが測定できないため、品質劣化の警報点を複数点設定することができず、劣化のし始めを検知することができない。
【０００４】
尚、従来のこの種の測定技術として、特許文献１に、送信所内に送信機と受信機とを配置し、この受信機で受信されるデジタル放送信号に対し、送信機からサービスエリア端までのデジタル放送波伝搬途中で生じる伝搬損と等価の白色雑音を付加した上で、受信機で受信されたデジタル放送信号の搬送波電力対ノイズ比を測定することで、送信所にて送信されるデジタル放送波の品質をリアルタイムで監視するようにしたデジタル放送波品質監視システムが開示されている。
【特許文献１】特開２０００−３３２７０２公報
【発明の開示】
【発明が解決しようとする課題】
【０００５】
以上述べたように、従来の地上デジタル放送におけるデジタル放送信号の回線品質監視システムにあっては、測定結果の精度、測定時間、品質劣化のリニアリティ等の面で問題があり、品質劣化によっては画像の破綻を避けられないおそれがある。
【０００６】
本発明は上記の課題を解決すべく、デジタル放送信号の回線品質を高速でかつ連続的に監視することができ、劣化し始めを確実に検知して画像破綻の防止に寄与することのできるデジタル放送信号の回線品質監視システムとその監視方法と回線品質監視装置を提供することを目的とする。
【課題を解決するための手段】
【０００７】
上記問題を解決するために、デジタル放送信号の回線品質監視システム及びその監視方法と回線品質監視装置は、地上デジタル放送システムに用いられ、送信所または中継所にて送信するデジタル放送信号の回線品質を監視する場合に、源信となる前記デジタル放送信号がリードソロモン符号による誤り訂正のための符号化処理を経て送出されるとき、前記デジタル放送信号を受信して前記リードソロモン符号による誤り訂正なしの状態で取り出し、前記源信のデジタル放送信号を遅延調整して、前記受信されたデジタル放送信号と比較し、その比較結果から回線品質を判定するようにしたことを特徴とする。
【０００８】
上記構成により、送受信間でＣ／Ｎが劣化したデジタル放送信号を付加されたデジタル放送信号が、ＲＳ復号による誤り訂正オフまたはＲＳ復号による誤り訂正前の状態で取り出され、源信の信号と比較されるため、従来に比して極めて高速で品質監視することが可能となり、連続に近い品質監視を行えるようになる。また、信号劣化カーブが少なく急峻ではないため、品質劣化がリニアに測定することが可能となる。これにより、比較による品質劣化判定レベルを複数点設けることができ、品質劣化のし始めを精度よく検出することが可能となる。
【発明の効果】
【０００９】
本発明によれば、デジタル放送信号の回線品質を高速でかつ連続的に監視することができ、劣化し始めを確実に検知して画像破綻の防止に寄与することのできるデジタル放送信号の回線品質監視システムとその監視方法と回線品質監視装置を提供することができる。
【発明を実施するための最良の形態】
【００１０】
以下、図面を参照して本発明の実施の形態を詳細に説明する。
【００１１】
図１はＩＳＤＢ−Ｔ（Integrated Services Digital Broadcasting for Terrestrial：地上デジタル放送）方式によるデジタル放送システムに適用される本発明に係る回線品質監視システムの一実施形態を示すブロック図である。このシステムは、例えば送信所に配置される。このシステムにおいて、ＲＥＭＵＸ（再多重）装置１１は、源信であるスタジオからの放送ＴＳ信号を送出するもので、このＴＳ信号は送信機１２に送られ、同時に回線品質監視部１３にも送られる。
【００１２】
上記放送機１２は、入力ＴＳ信号を変調部１２１に入力し、ここでビタビ・ＲＳ訂正符号の付加、ＯＦＤＭ（Orthogonal Frequency Division Modulation：直交周波数分割多重）変調を施した後、送信部１２２でＲＦ帯への周波数変換、電力増幅を施して、デジタル放送信号として送信アンテナ１４から送出する。この送信アンテナ１４から送出されるデジタル放送信号は、その電波の受信エリア内に配置される受信アンテナ１５で捕捉されて受信機１６に送られる。この受信機１６は、入力デジタル放送信号を受信検波部１６１に入力し、ここで低雑音増幅、ＩＦ帯への周波数変換、選局処理を施してベースバンドＯＦＤＭ信号を検波した後、復調部１６２でＦＦＴ復調Ａ１、ビタビ復号Ａ２、ＲＳ復号Ａ３を施して、ＴＳ信号を取り出す。このとき、復調部１６２では、ビタビ復号Ａ２におけるビタビ訂正処理をオフとし、ＲＦ復号Ａ３におけるＲＳ符号による誤り訂正処理をオフ状態とする、あるいはＲＳ符号による誤り訂正処理前のＴＳ信号を取り出す。このようにして、受信機１６で得られたＴＳ信号は、上記回線品質監視部１３に送られる。
【００１３】
上記回線品質監視部１３は、ＲＥＭＵＸ装置１１からのＴＳ信号を遅延調整部１３１に入力し、受信機１６からのＴＳ信号に合うように遅延調整して、両者を信号比較部１３２で比較し、その比較結果を品質判定部１３３に送ってビットエラー発生の有無等の品質判定を行う。尚、この回線品質監視部１３は、必ずしもＲＥＭＵＸ装置１１が配置されている送信所内に設置する必要はなく、例えば受信機設置箇所等、任意の場所に配置可能である。
【００１４】
上記構成による監視システムでは、源信のＴＳ信号を送信機１２、送信アンテナ１４から送出し、その送信信号を受信アンテナ１５、受信機１６で受信して、回線品質監視部１３で源信のＴＳ信号と受信ＴＳ信号とを遅延調整によって同期させて信号比較し、品質判定を行う。ここで、送信機１２及び送信アンテナ１４を経て送出される放送信号には、回線経路中に自然発生するノイズが付加される。これは、Ｃ／Ｎが劣化することに相当する。また、このＣ／Ｎ劣化した放送信号を受信し、元のＴＳ信号を取り出す際に、ＲＳ符号による誤り訂正を行わないようにし、その分の処理時間を削減する。
【００１５】
すなわち、回線品質監視部１３では、源信のＴＳ信号の送受信間によってＣ／Ｎ劣化し、ＲＳ符号による誤り訂正オフまたはＲＳ符号による誤り訂正前の状態で取り出されたＴＳ信号が、遅延調整された源信のＴＳ信号との比較対象となっている。このため、比較的短時間で高速な比較、判定が可能となる。また、直接送信信号にＣ／Ｎを付加するわけではないので、信号劣化カーブが急峻にならない。このため、品質劣化をリニアに測定することが可能となり、品質劣化の比較検出点を複数点設けることにより、劣化し始めを確実に検知することができる。
【００１６】
したがって、上記構成による監視システムによれば、高速で品質を監視することができるため、連続に近い品質監視が行える。また、信号劣化カーブが急峻ではなく、品質劣化をリニアに測定することができるので、品質劣化点を複数設けることができ、かつ劣化し始めを検知できるので、画像が破綻する前に冗長系への切替制御を行うことが可能となる。
【００１７】
尚、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００１８】
【図１】ＩＳＤＢ−Ｔ方式によるデジタル放送システムに適用される本発明に係る回線品質監視システムの一実施形態を示すブロック図。
【符号の説明】
【００１９】
１１…ＲＥＭＵＸ装置、１２…送信機、１２１…変調部、１２２…送信部、１３…回線品質監視部、１４…送信アンテナ、１５…受信アンテナ、１６…受信機、１６１…受信検波部、１６２…復調部、Ａ１…ＦＦＴ復調、Ａ２…ビタビ復号、Ａ３…ＲＳ復号、１３１…遅延調整部、１３２…信号比較部、１３３…品質判定部。
【図１】
2008219145.tif 000003